(57)【特許請求の範囲】
【請求項１】
キャブの後方に設けられ、外気に開放された吸引部を前記キャブの上部に有し、前記キャブに設けられた内燃機関に前記外気を導く吸気ダクトと、
前記キャブの上方に設けられ、前方は高さが低くかつ横幅が狭く、後方になるにつれ高さが高くかつ幅が広がる形状の上板と、前記上板の左右にそれぞれ、前記上板の下方を覆うように設けられる側板と、を備え、前記キャブの後方に設けられた荷箱上面と前記キャブの前部との間を斜めに連結する導風板と、を備え、
前記導風板の前記側板に形成されて前記側板の下端に開口する切欠き部を通して、前記導風板の外方に前記吸引部を露出させたことを特徴とする貨物用車両。
【請求項２】
前記吸引部の開口面は、前記導風板の前記側板に設けられた前記切欠き部が形成する面と略同一面を形成することを特徴とする請求項１に記載の貨物用車両。
【請求項３】
キャブと該キャブの後方に荷箱を備え、前記キャブの下方に走行用の内燃機関を搭載した貨物用車両において、
前記キャブの後方に、前記内燃機関に一端が接続され、他端が前記キャブの上部に設けられた吸引部を介して外部に開口した吸気ダクトを備え、
かつ前記キャブの上部に、前方は高さが低くかつ横幅が狭く、後方になるにつれ高さが高くかつ幅が広がる形状の上板と、前記上板の左右にそれぞれ、前記上板の下方を覆うように設けられる側板と、を備え、該キャブの前部と前記荷箱の前端上部とを斜めに連続させる導風板を備え、
前記導風板の前記側板に、前記側板の下端に開口し、かつ、前記吸引部を該導風板の外方に露出させる切欠き部を形成し、更に前記吸引部に形成された開口面が前記導風板の前記側板に設けられた前記切欠き部が形成する面と略同一面を形成するように、前記導風板と前記吸気ダクトとを設けたことを特徴とする貨物用車両。
【発明の詳細な説明】
【技術分野】
【０００１】
本発明は、キャブ上部に導風板を備え、かつ内燃機関へ外気を案内する吸気ダクトをキャブ後方に設けた貨物用車両に関する。
【０００２】
吸気口に関する。
【背景技術】
【０００３】
貨物用車両のキャブ上部に、導風板を設け、走行中の空気抵抗を低減させることが行われている。導風板は、例えばＦＲＰ（繊維強化樹脂）を用いて、前方が狭く、後方に行くに従い広く、また高さが高くなるように、上板と側板から三角台形状に形成されている。導風板は、キャブルーフ上に、キャブルーフとキャブ後方に設けられた荷箱との間に斜めに設けられ、前方からの走行風を整流して、走行中の空気抵抗を低減させている。
【０００４】
またキャブの後方に荷箱などを備えた貨物用車両では、一般にキャブの下部にエンジン（内燃機関）を搭載している。内燃機関への燃焼用空気を、キャブの後方から導入させると、エンジンで暖められた外気を吸引し、エンジンの燃焼効率が低下することがある。そこで吸気ダクトをキャブの後方に設け、キャブの上方に設けられた開口部から、エンジンの排熱の影響を受けない外気を吸引することが行われている。また近年吸気ダクトを大型化させ、内燃機関への吸気抵抗を低減させることが行われている。
【先行技術文献】
【特許文献】
【０００５】
【特許文献１】特開２００７−２８３９１９号公報
【発明の概要】
【発明が解決しようとする課題】
【０００６】
しかしながら吸気ダクトを大型化させると吸気ダクトに当たる走行風が増加し、空気抵抗の増大により車両の燃費などに影響を与えることが考慮される。また、導風板を備えた車両に、大型化した吸気ダクトを取り付けると、両者がそれぞれ個別に配置され、車両外観が整わなくなるという問題が生じていた。
【０００７】
本発明は上記課題を解決し、キャブの上部に導風板と吸気ダクトの開口部とを設けた貨物用車両において、吸気ダクトの大型化による走行空気抵抗の増大を抑え、しかも車両の美観を損なうことのない貨物用車両を提供することを目的とする。
【課題を解決するための手段】
【０００８】
請求項１に記載の貨物用車両は、キャブの後方に設けられ、外気に開放された吸引部を前記キャブの上部に有し、前記キャブに設けられた内燃機関に前記外気を導く吸気ダクトと、前記キャブの上方に設けられ、前方は高さが低くかつ横幅が狭く、後方になるにつれ高さが高くかつ幅が広がる形状の上板と、前記上板の左右にそれぞれ、上板の下方を覆うように設けられる側板と、を備え、前記キャブの後方に設けられた荷箱上面と前記キャブの前部との間を斜めに連結する導風板と、を備え、前記導風板の前記側板に形成されて前記側板の下端に開口する切欠き部を通して、前記導風板の外方に前記吸引部を露出させた。
【０００９】
請求項２に記載の貨物車両では、前記吸引部の開口面は、前記導風板の前記側板に設けられた前記切欠き部が形成する面と略同一面を形成する。
請求項３に記載の貨物車両では、キャブと該キャブの後方に荷箱を備え、前記キャブの下方に走行用の内燃機関を搭載した貨物用車両において、前記キャブの後方に、前記内燃機関に一端が接続され、他端が前記キャブの上部に設けられた吸引部を介して外部に開口した吸気ダクトを備え、かつ前記キャブの上部に、前方は高さが低くかつ横幅が狭く、後方になるにつれ高さが高くかつ幅が広がる形状の上板と、前記上板の左右にそれぞれ、上板の下方を覆うように設けられる側板と、を備え、該キャブの前部と前記荷箱の前端上部とを斜めに連続させる導風板を備え、前記導風板の前記側板に、前記側板の下端に開口し、かつ、前記吸引部を該導風板の外方に露出させる切欠き部を形成し、更に前記吸引部に形成された開口面が前記導風板の前記側板に設けられた前記切欠き部が形成する面と略同一面を形成するように、前記導風板と前記吸気ダクトとを設けた。
【発明の効果】
【００１０】
貨物用車両は、吸気ダクトの開口面が、導風板に沿って設けられているので、吸気ダクトにより走行空気抵抗が増大しない。したがって、吸気ダクトを大型化させ、開口面積が拡大されても、走行空気抵抗増大による燃費の低下などを発生させない。
【００１１】
吸気ダクトの開口面が導風板に沿って形成され、導風板や車両の外周部分から吸気ダクトが突出しないことから、車両の外観を連続させることができ、車両の美観が損なわれることがない。
【図面の簡単な説明】
【００１２】
【図１】本発明の一実施形態にかかる貨物用車両を示す斜視図である。
【図２】同貨物用車両を示す斜視図である。
【図３】同貨物用車両に設けられる導風板を示す分解斜視図である。
【図４】同貨物用車両に設けられる吸気ダクトを示す正面図である。
【図５】同貨物用車両に設けられる吸気ダクトを示す平面図である。
【発明を実施するための形態】
【００１３】
本発明にかかる貨物用車両の一実施形態について説明する。  
図１に、貨物用車両１０を示す。貨物用車両１０は、前方にキャブ１２を備え、キャブ１２の後方に荷箱１４が設けられている。キャブ１２には、図２に示すようにエンジン１６が搭載されている。エンジン１６は、ディーゼルエンジンなど内燃機関である。
【００１４】
以下、貨物用車両１０の前進方向を前方とし、その逆を後方とし、それを基準に左右を定め、更に重力の方向を下方、その逆を上方として説明する。キャブ１２には、運転席が設けられ、キャブ１２の下方には前輪２０が取り付けられている。
【００１５】
またキャブ１２の天井板（キャブルーフ）２２には、導風板２４および吸気ダクト２６が取り付けられている。導風板２４を図３に示す。導風板２４は、例えばＦＲＰ（繊維強化樹脂）製で、外板としての上板２８と側板３０から構成されている。上板２８は、若干上に凸に湾曲したほぼ平板状で、前方は高さが低く、横幅が狭く、後方になるにつれ高さが高く、幅が広くなるように形成されている。側板３０はほぼ三角形で、上板２８の左右にそれぞれ、上板２８の下方を覆うように設けられている。更に右の側板３０（図では左となる。）には、後述する吸引部３９に対応した切欠き部３２が形成されている。尚導風板２４は、ＦＲＰ製に限らず金属製、その他でもよい。導風板２４は、図３に示すフレーム３４により、キャブルーフ２２に取り付けられている。
【００１６】
次にフレーム３４について説明する。フレーム３４は、前部フレーム４０と後部フレーム４２からなり、前部フレーム４０と後部フレーム４２は連結竿４１により連結されている。前部フレーム４０は、前主フレーム４４と、取付部材４６から形成されている。前主フレーム４４は棒状部材で、前主フレーム４４の左右に取付部材４６が一対、対称に設けられている。
【００１７】
左の取付部材４６は、基部５０と、基部５０の左右に立ち上げられた左側壁部５２および右側壁部５４と、左側壁部５２の上端に設けられた左取付片５６と、右側壁部５４の上端に設けられた右取付片５８からなり、例えば１枚の金属板を屈曲させて形成されている。
【００１８】
基部５０は平板状で、連結竿４１の前端に溶接あるいはねじ止めにより固定されている。基部５０には、ねじ孔が、キャブルーフ２２に設けられている取付ねじ孔（いずれも図示せず。）に対応して形成されている。左側壁部５２および右側壁部５４は、基部５０から鈍角な角度でそれぞれ左右の方向に設けられている。したがって、左側壁部５２と右側壁部５４の間が上部で開くように形成されている。
【００１９】
左取付片５６および右取付片５８は、それぞれ左側壁部５２および右側壁部５４の上端から外方に広がるように設けられている。左取付片５６および右取付片５８は、フレーム３４に導風板２４を取り付けた際、導風板２４の内面に沿うように、左側壁部５２および右側壁部５４から屈曲し、かつ各左取付片５６と右取付片５８の長手方向に沿って湾曲形成されている。右の取付部材４６は、左の取付部材４６と左右対称であるので説明を省略する。
【００２０】
後部フレーム４２は、後主フレーム６０と後主フレーム６０に取り付けられた副フレーム６２などから形成されている。後主フレーム６０は、後主フレーム６０の左右端部に取付台６４を備え、取付台６４を介してキャブルーフ２２の取付ねじ孔（図示せず。）にねじ止めされる。
【００２１】
副フレーム６２は、後主フレーム６０の右端部近傍に設けられ、後主フレーム６０からほぼ垂直に取り付けられた縦フレーム６６と縦フレーム６６から水平方向に設けられた横フレーム６８とから形成されている。副フレーム６２は、貨物用車両１０を正面から見たとき貨物用車両１０の左側に設けられている。
【００２２】
後主フレーム６０の左端、縦フレーム６６の上端、横フレーム６８の右端には、それぞれ取付片７０、７２、７４が設けられている。取付片７０は、導風板２４にフレーム３４を取り付けた際、導風板２４の左側壁の内側に位置するように配置されている。
【００２３】
取付片７２は、導風板２４にフレーム３４を取り付けた際、導風板２４の上壁の内面に位置するように配置されている。取付片７２は、導風板２４にフレーム３４を取り付けた際、導風板２４の右側壁の内面に位置するように配置されている。尚、後部フレーム４２は、従来と同様の構成のフレームであってもよい。導風板２４とフレーム３４は、接着剤と、例えばガラス繊維に硬化性樹脂を含浸させたシート材などを用いて取り付けられている。
【００２４】
図４および図５に、吸気ダクト２６を示す。吸気ダクト２６は、筒体部３６と筒体部３６の上端に設けられた吸引部３８から構成されている。吸気ダクト２６は、図１および図２に示すようにキャブ１２の後方右側に設けられている。吸気ダクト２６の下端は、塵埃除去器３７やエアクリーナ（図示せず。）などを介してエンジン１６の吸気部（図示せず。）に接続されている。
【００２５】
吸引部３８は、周囲を壁体で囲まれた閉空間であり、後方に筒体部３６の上端が連通し、壁体の一面が開口面３９となっている。開口面３９は、スリットや網などにより外部に連通しており、開口面３９を通して外気を吸引部３８内に導入可能となっている。吸引部３８は、前述したように外形が導風板２４の切欠き部３２に対応して形成されている。また開口面３９は、導風板２４をキャブ１２に取り付けると、導風板２４の側板３０と、ほぼ同一の面を構成するように形成されている。
【００２６】
次に、導風板２４と吸気ダクト２６の組付け状態について説明する。吸気ダクト２６をキャブ１２に取り付けると、吸気ダクト２６の下端が前述したようにエンジン１６に接続され、かつ開口面３９が、キャブルーフ２２上で、開口面３９を貨物用車両１０の左側面に向けて配置される。
【００２７】
また導風板２４をキャブ１２にフレーム３４により取り付けると、図１や図２に示すように、切欠き部３２が吸引部３８に嵌合され、また上板２８がキャブルーフ２２の前端から荷箱１４の前端上部までの間を斜めに連続させる。更に吸気ダクト２６の開口面３９は、導風板２４の右の側板３０とほぼ同一の面を形成する。したがって、貨物用車両１０は、導風板２４によりキャブ１２と荷箱１４間が斜めに連続し、走行風が整流されるとともに、吸気ダクト２６により走行空気抵抗の増大を発生させることなく、吸気ダクト２６の開口面３９を通してエンジン１６への燃焼用空気が効率よく吸引される。
【００２８】
更に、開口面３９は、導風板２４と同一面を形成することから、導風板２４の外形が連続し、貨物用車両１０の美観が損なわれることがない。また、切欠き部３２と吸引部３８との間にシール剤などを塗布し、目止めを行うとより好ましい。
【００２９】
尚、吸引部３８の形状は上記形状に限るものではない。また吸気ダクト２６は、車両１０の左右いずれに設けられていてもよい。また開口面３９は、導風板２４の側板３０と完全に同一面を形成していなくともよい。また、開口面３９は、導風板２４の側板３０でなく、上板２８、あるいは導風板２４の前面など、その他の位置に設けられていてもよい。更に、切欠き部３２により導風板２４の強度が低下するおそれがある場合は、切欠き部３２に対応した補強を、導風板２４にリブなどを形成して行うことが好ましい。更に、吸気ダクト２６は、キャブ１２の後方でなく、側方に設けられていてもよい。
以下に、本願出願の当初の特許請求の範囲に記載された発明を付記する。
［１］
キャブの後方に設けられ、外気に開放された吸引部を前記キャブの上部に有し、前記キャブに設けられた内燃機関に前記外気を導く吸気ダクトと、
前記キャブの上方に設けられ、前記キャブの後方に設けられた荷箱上面と前記キャブの前部との間を斜めに連結する導風板と、を備え、
前記導風板に形成された切欠き部を通して、前記導風板の外方に前記吸引部を露出させたことを特徴とする貨物用車両。
［２］
前記吸引部の開口面を、前記導風板と連続する面としたことを特徴とする［１］に記載の貨物用車両。
［３］
キャブと該キャブの後方に荷箱を備え、前記キャブの下方に走行用の内燃機関を搭載した貨物用車両において、
前記キャブの後方に、前記内燃機関に一端が接続され、他端が前記キャブの上部に設けられた吸引部を介して外部に開口した吸気ダクトを備え、
かつ前記キャブの上部に、該キャブの前部と前記荷箱の前端上部とを斜めに連続させる導風板を備え、
前記導風板に、前記吸引部を該導風板の外方に露出させる切欠き部を形成し、更に前記吸引部に形成された開口面と前記導風板の外板とを連続した面に形成するように、前記導風板と前記吸気ダクトとを設けたことを特徴とする貨物用車両。
【産業上の利用可能性】
【００３０】
本発明は、導風板と吸気ダクトとを備えた貨物用車両に用いられる。
【符号の説明】
【００３１】
１０…貨物用車両  １２…キャブ  １４…荷箱  １６…エンジン  ２２…キャブルーフ  ２４…導風板  ２６…吸気ダクト  ２８…上板  ３０…側板  ３２…切欠き部  ３６…筒体部  ３８…吸引部  ３９…開口面
【図１】
0005798743.tif 000002
【図２】
0005798743.tif 000003
【図３】
0005798743.tif 000004
【図４】
0005798743.tif 000005
【図５】
0005798743.tif 000006